(57)【特許請求の範囲】
【請求項１】
復水器本体内に配設されるとともに、復水器本体の両端開口部に取り付けられた管板にその両端部が支持された多数本の熱交換用細管をその両端部近傍で切断する帯鋸刃を備えた切断装置であって、一対のシーブを水平に配置するとともに、該一対のシーブに無端状の前記帯鋸刃を所定の張力で張設して一対のシーブ間で帯鋸刃を水平回転させる切断手段と、前記一対のシーブを上下方向に移動自在にガイドする一対のガイド部材と、前記一対のシーブを一対のガイド部材に沿って上下方向に昇降させる昇降手段と、を備えたバンドソー型切断装置において、
前記一対のガイド部材は、前記管板に予め設けられたボルトを介して前記復水器本体に着脱自在に固定され、前記昇降手段により前記一対のガイド部材に沿って下降移動する前記帯鋸刃によって、前記熱交換用細管が切断されることを特徴とする復水器用バンドソー型切断装置。
【発明の詳細な説明】
【技術分野】
【０００１】
本発明は復水器用バンドソー型切断装置及びその切断方法に係り、特に火力、原子力発電所に設置されたタービン発電機用復水器の解体作業時において、復水器本体内に配設された多数本の熱交換用細管を復水器本体から切断して取り出すための復水器用バンドソー型切断装置及びその切断方法に関する。
【背景技術】
【０００２】
火力、原子力発電所に設置されたタービン発電機用復水器は、復水器本体の両側に水室が連結され、これらの水室に供給された冷却水（海水）を、復水器本体内に配設された数千本（例えば１４０００本）の熱交換用細管（以下、単に「チューブ」と称する）に供給することによって、タービンから排出された高温蒸気を冷却する。
【０００３】
従来、このような復水器を解体して切断する作業は、まず、復水器本体から水室を分離させた後、ガス式溶断装置を用いて作業者が手作業にて復水器本体を解体していた。これは、復水器の周辺が配管、足場等の多数の既設物によって狭隘な場所であるからであり、このような事情によりガス式溶断装置を用いた手作業が主流であった。また、復水器本体の内部にはチューブが数千本配設されており、これらのチューブもガス式溶断装置で切断していたが、切断したチューブを再利用する際には、ガスを用いた溶断方式であるとチューブの溶断面（切断面）の状態が悪いため、後加工が必要であった。
【０００４】
一方、特許文献１に開示されたバンドソー型切断装置を用いてチューブを切断すれば、チューブの切断面の状態が良好になる。このバンドソー型切断装置は一対のシーブを水平配置（シーブの回転軸が鉛直方向に向くように配置）するとともに、一対のシーブに無端状の帯鋸刃を掛け渡し、この帯鋸刃を一対のシーブ間で走行させる切断手段を構成し、この切断手段を昇降移動機構によって下降させ、切断手段の下方に配置した被切断物に帯鋸刃を押し付けることにより被切断物を切断する装置である。
【０００５】
しかしながら、特許文献１に開示されたような一般のバンドソー型切断装置は、一対のシーブ、帯鋸刃、及びシーブ回転駆動機構からなる前記切断手段と、前記昇降機構とを支持するために、多数本の鋼材を組み付けてなる大型なフレームを要し、その外形は大型となる。よって、従来のバンドソー型切断装置は、復水器周辺の狭隘なスペースに設置することができないという問題があった。
【特許文献１】特許第２９６７８００号公報
【発明の開示】
【発明が解決しようとする課題】
【０００６】
本発明は、このような事情に鑑みてなされたもので、復水器周辺の狭隘なスペースに設置することができ、復水器本体内に配設されたチューブを切断することができる復水器用バンドソー型切断装置及びその切断方法を提供することを目的とする。
【課題を解決するための手段】
【０００７】
本発明の復水器用バンドソー型切断装置は、前記目的を達成するために、復水器本体内に配設されるとともに、復水器本体の両端開口部に取り付けられた管板にその両端部が支持された多数本の熱交換用細管をその両端部近傍で切断する帯鋸刃を備えた切断装置であって、一対のシーブを水平に配置するとともに、該一対のシーブに無端状の前記帯鋸刃を所定の張力で張設して一対のシーブ間で帯鋸刃を水平回転させる切断手段と、前記一対のシーブを上下方向に移動自在にガイドする一対のガイド部材と、前記一対のシーブを一対のガイド部材に沿って上下方向に昇降させる昇降手段と、を備えたバンドソー型切断装置において、前記一対のガイド部材は、前記管板に予め設けられたボルトを介して前記復水器本体に着脱自在に固定され、前記昇降手段により前記一対のガイド部材に沿って下降移動する前記帯鋸刃によって、前記熱交換用細管が切断されることを特徴としている。
【０００８】
本発明によれば、バンドソー型切断装置を構成する一対のガイド部材を、復水器本体に着脱自在に固定している。すなわち、バンドソー型切断装置の切断手段、昇降手段を支持するために必要な大型のフレームとして大型構造物の復水器本体を代用した。これにより、復水器周辺の狭隘なスペースには、切断手段、ガイド部材、及び昇降手段が配置されるだけなので、復水器周辺の狭隘なスペースに設置することができ、切断手段、ガイド部材、及び昇降手段の各々の動作によって復水器本体内に配設されたチューブを切断することができる。
【００１０】
本発明によれば、復水器本体の管板には、水室を固定するための多数本のボルトが外側に向けて突設され、この既設のボルトを利用して一対のガイド部材を復水器本体に着脱自在に固定する。これにより、一対のガイド部材を固定するための専用部材が不要になり、また、一対のガイド部材を復水器本体に容易に固定することができる。
【発明の効果】
【００１５】
本発明に係る復水器用バンドソー型切断装置及びその切断方法によれば、バンドソー型切断装置を構成する一対のガイド部材を、復水器本体に着脱自在に固定したので、復水器周辺の狭隘なスペースに設置することができ、復水器本体内に配設されたチューブを切断することができる。また、その切断途中において、一対のガイド部材を復水器本体に固定した後、切断を継続するので、切断を安定して行うことができる。
【発明を実施するための最良の形態】
【００１６】
以下添付図面に従って、本発明に係る復水器用バンドソー型切断装置及びその切断方法の好ましい実施の形態について詳説する。
【００１７】
図１は、実施の形態の復水器用バンドソー型切断装置１０が復水器本体１２に着脱自在に固定された状態を示す斜視図、図２は、図１に示した復水器用バンドソー型切断装置１０の正面図、図３は、復水器用バンドソー型切断装置１０の組立斜視図である。また、図４は、図１に示した復水器用バンドソー型切断装置１０の上面図、図５は、図１に示した復水器用バンドソー型切断装置１０の右側面図である。
【００１８】
この復水器用バンドソー型切断装置１０は、復水器本体１２内に配設されるとともに、復水器本体１２の両端開口部（不図示）に取り付けられた管板１４にその両端部が支持された多数本のチューブ１６、１６…(図４参照)をその両端部近傍で切断する切断装置である。
【００１９】
図３に示すように復水器用バンドソー型切断装置１０は、一対のガイドブロック１８、２０と梁部２２とから構成されている。
【００２０】
図３上で右側に配置されるガイドブロック１８は、鉛直方向に配置されたガイドレール（ガイド部材）２４、このガイドレール２４に沿って昇降自在に設けられたシーブ保持フレーム２６、このシーブ保持フレーム２６に水平方向に回転自在に取り付けられた駆動シーブ２８、この駆動シーブ２８を回転させる帯鋸刃用モータ（切断手段）３０、及び送りねじ棒（昇降手段）３２から構成される。送りねじ棒３２は、ガイドレール２４の下部に形成された脚部３４の軸受３６に下端が回転自在に支持されるとともに、上部はシーブ保持フレーム２６に固定されたナット部３８に螺合されている。また、送りねじ棒３２の上端は、梁部２２に形成された軸受部４０に回転自在に支持される。したがって、送りねじ棒３２を正転／逆転させると、駆動シーブ２８及び帯鋸刃用モータ３０とともにシーブ保持フレーム２６がガイドレール２４に沿って昇降移動される。送りねじ棒３２を回転させるモータ（昇降手段）４２は、梁部２２に支持されている。
【００２１】
図３上で左側に配置されるガイドブロック２０は、鉛直方向に配置されたガイドレール（ガイド部材）４４、このガイドレール４４に沿って昇降自在に設けられたシーブ保持フレーム４６、このシーブ保持フレーム４６に水平方向に回転自在に取り付けられた従動シーブ４８、及び送りねじ棒（昇降手段）５２から構成される。送りねじ棒５２は、ガイドレール４４の下部に形成された脚部５４の軸受５６に下端が回転自在に支持されるとともに、上部はシーブ保持フレーム４６に固定されたナット部５８に螺合されている。また、送りねじ棒５２の上端は、梁部２２に形成された軸受部６０に回転自在に支持される。したがって、送りねじ棒５２を正転／逆転させると、従動シーブ４８とともにシーブ保持フレーム４６がガイドレール４４に沿って昇降移動される。送りねじ棒５２を回転させるモータ（昇降手段）６２は、梁部２２に支持されている。また、従動シーブ４８は、シーブ保持フレーム４６に水平方向にスライド自在に支持されている。更に、従動シーブ４８は、シーブ保持フレーム４６に搭載された図２のジャッキ６４によって水平方向に移動され、駆動シーブ２８との離間距離が調整される。したがって、ジャッキ６４によって従動シーブ４８を駆動シーブ２８に対して離れる方向にスライド移動させると、駆動シーブ２８と従動シーブ４８とに掛け渡された無端状の帯鋸刃６６が所定の張力で張設される。
【００２２】
上述したガイドブロック１８、２０は、復水器本体１２に対して、管板１４の周囲に突設されたボルト６８、６８…を利用して復水器本体１２に着脱自在に固定される。これらのボルト６８、６８…は、復水器本体１２に不図示の水室を、管板１４を介して取り付けるための既設のボルトである。これらのボルト６８、６８…のうち管板１４の縦辺に沿って設けられたボルト６８、６８…に、図６の如くガイドブロック１８（２０）のガイドレール２４（４４）に形成された貫通孔２４Ａ（４４Ａ）を通し、表側からナット７０を締結することにより、ガイドブロック１８（２０）が管板１４を介して復水器本体１２に着脱自在に固定される。
【００２３】
なお、梁部２２においても同様に、梁部２２に設けられた一対のブラケット７２、７２が、管板１４の上辺に沿って設けられたボルト６８、６８…とナット７０、７０…とによって管板１４に着脱自在に固定される。
【００２４】
次に、前記の如く構成された復水器用バンドソー型切断装置１０の作用について説明する。
【００２５】
まず、ガイドブロック１８、２０と梁部２２とを、図１、２、４、５に示すようにボルト６８、６８…とナット７０、７０…を利用して復水器本体１２に管板１４を介して固定する。これによって、復水器用バンドソー型切断装置１０が復水器本体１２に着脱自在に固定される。
【００２６】
この固定状態において、駆動シーブ２８と従動シーブ４８との間に掛け渡された無端状の帯鋸刃６６のうち実際に切断に寄与する部分は、図７に示すように矢印Ａ方向に周回移動する片側部分である。また、この切断に寄与する片側部分は、図８に示すように管板１４に対して所定長、復水器本体１２の内側（１００ｍｍ以内）に位置する部分に設定される。したがって、この部分を縦方向に切断することによって、管板１４に連結されたチューブ１６、１６…の端部１６Ａ、１６Ａ…が管板１４とともに復水器本体１２から分離される。
【００２７】
実際に切断を行う場合には、帯鋸刃６６を復水器本体１２の上方に予め平行に位置させておき、この状態でモータ３０を駆動して帯鋸刃６６を周回移動させながら、駆動シーブ２８と従動シーブ４８を同速度で下降移動させる。これにより、チューブ１６、１６…の端部１６Ａ、１６Ａ…が図８の二点鎖線の位置から切断されていく。この動作を管板１４の下方位置まで実行することによって、図７の左側に示すようにチューブ１６、１６…の端部１６Ａ、１６Ａ…が管板１４と復水器本体１２の端部１２Ａとともに復水器本体１２から切断され分離される。
【００２８】
次に、復水器用バンドソー型切断装置１０の特徴について説明する。
【００２９】
この復水器用バンドソー型切断装置１０は、バンドソー型切断装置１０を構成する一対のガイドレール２４、４４を、復水器本体１２に着脱自在に固定している。すなわち、バンドソー型切断装置１０の切断手段（シーブ２８、４８、モータ３０、帯鋸刃６６）、昇降手段（送りねじ棒３２、５２、モータ４２、６２）を支持するために必要な大型のフレームとして大型構造物の復水器本体１２を代用している。
【００３０】
これにより、復水器周辺の狭隘なスペースには、前記切断手段、ガイドレール２４、４４、及び前記昇降手段が配置されるだけなので、復水器周辺の狭隘なスペースに設置することができ、前述した切断手段、ガイド部材、及び昇降手段の各々の動作によって復水器本体１２内に配設されたチューブ１６、１６…を切断することができる。
【００３１】
また、一対のガイドレール２４、４４は、管板１４に予め設けられたボルト６６、６６…を介して復水器本体１２に着脱自在に固定されている。すなわち、復水器本体１２の管板１４には、水室を固定するための多数本のボルト６６、６６…が外側に向けて突設され、この既設のボルト６６、６６…を利用して一対のガイドレール２４、４４を復水器本体１２に着脱自在に固定している。これにより、一対のガイドレール２４、４４を固定するための専用部材が不要になり、また、一対のガイドレール２４、４４を復水器本体１２に容易に固定することができる。
【００３２】
また、実施の形態の復水器用バンドソー型切断装置１０では、一対のガイドレール２４、４４が固定された管板１４をバンドソー型切断装置１０によって復水器本体１２から分離するため、切断を継続すると、バンドソー型切断装置１０が管板１４とともに倒れてしまう。よって、切断動作に影響を与えない切断途中の切断位置において、一対のガイドレール２４、４４を復水器本体１２に別途固定する必要がある。この固定方法としては、管板１４を跨ぐような形状のブラケットを用い、ブラケットの一端をガイドレール２４、４４に溶接し、ブラケットの他端を復水器本体１２に溶接することを例示できる。また、固定方法はブラケットを用いた溶接に限定されるものではなく、如何なる固定方法でも適用できる。このように一対のガイドレール２４、４４を固定した後、切断を継続する。
【図面の簡単な説明】
【００３３】
【図１】実施の形態の復水器用バンドソー型切断装置が復水器本体１２に着脱自在に固定された状態を示した斜視図
【図２】図１に示した復水器用バンドソー型切断装置の正面図
【図３】復水器用バンドソー型切断装置の組立斜視図
【図４】図１に示した復水器用バンドソー型切断装置の上面図
【図５】図１に示した復水器用バンドソー型切断装置の右側面図
【図６】管板に対するガイドブロックの取付構造を示した要部拡大断面図
【図７】復水器用バンドソー型切断装置による切断方法を模式的に示した斜視図
【図８】復水器用バンドソー型切断装置によるチューブの切断位置を示した説明図
【符号の説明】
【００３４】
１０…復水器用バンドソー型切断装置、１２…復水器本体、１４…管板、１６…チューブ、１８、２０…ガイドブロック、２２…梁部、２４…ガイドレール、２６…シーブ保持フレーム、２８…駆動シーブ、３０…帯鋸刃用モータ、３２…送りねじ棒、３４…脚部、３６…軸受、３８…ナット部、４０…軸受部、４２…モータ、４４…ガイドレール、４６…シーブ保持フレーム、４８…従動シーブ、５２…送りねじ棒、５４…脚部、５６…軸受、５８…ナット部、６０…軸受部、６２…モータ、６４…ジャッキ、６６…帯鋸刃、６８…ボルト、７０…ナット、７２…ブラケット
【図１】
0004888723.tif 000002
【図２】
0004888723.tif 000003
【図３】
0004888723.tif 000004
【図４】
0004888723.tif 000005
【図５】
0004888723.tif 000006
【図６】
0004888723.tif 000007
【図７】
0004888723.tif 000008
【図８】
0004888723.tif 000009